(57)【要約】      （修正有）【課題】臨時会場にて頻繁に移動、分解、組立して使用するのに適し、手軽に持ち運びできる軽量型電子ディスプレイモジュラユニットの構造を提供する。【解決手段】少なくとも一つのモジュラユニット１０を含み、モジュラユニットは一対の支持基板２０Ａ，２０Ｂ及び複数の発光バー３０を含む。支持基板は長い板状のハード基板で、表面にそれぞれ導電回線を設置し、基板に複数個の貫通穴２１を設ける。発光バーは縦向きに等間隔に並べて支持基板に貼り付けられ、発光バーの各々は一本のソフトプレイト３１に直列等間隔に多数個の発光パーツ３２を設ける。ソフトプレイトは、両端を支持基板に貼合する可とう性のある薄いもので導電回線を有し、支持基板の導電回線と電気接続し、一つの電気通信伝送回路を形成する。電気通信伝送回路は信号入力ポイントと出力ポイントを有し、支持基板の表面に一つの入力差込端子及び出力差込端子がある。【選択図】図１
0003194099.tif 000002
【実用新案登録請求の範囲】
【請求項１】
少なくとも一つのモジュラユニットを含み、
一つの前記モジュラユニットは一対の支持基板及び複数の発光バーを含み、該一対の支持基板はいずれも長い板状のＰＣＢ回路ハード基板であり、表面にそれぞれ導電回線を設置し、及び基板に複数個の貫通穴を設け、前記複数の発光バーは帯状に長く形成され縦向きに等間隔な形で並べられ、平行に横向きに置いた一対の支持基板に貼り付け、且つ該複数の発光バーの各々は一本の長いソフトプレイトに多数個の発光パーツを設けて構成し、
前記ソフトプレイトは、両端を該一対の支持基板に貼合する可とう性のある薄いＦＰＣ回路ソフトプレイトであり、該プレイトは導電回線を具有し、且つ該導電回線と前記一対の支持基板の導電回線と電気接続し、一つの方向性を具有する電気通信伝送回路を形成し、該電気通信伝送回路の信号入力ポイントと出力ポイントを設け且つ前記一対の支持基板の表面に一つの入力差込端子及び一つの出力差込端子を設け、
前記多数個の発光パーツの全ては回路駆動チップのＬＥＤ発光ダイオードのパーツを含み、且つ少なくとも一列の型で直列の等間隔に該ソフトプレイトの正面に設置し、前記電気通信伝送回路を通じて、いずれも前記入力差込端子側から電源と信号データを得て、全て前記出力差込端子側に電源と信号データを送ることを特徴とする軽量型電子ディスプレイモジュラユニットの構造。
【請求項２】
前記一対の支持基板にある導電回線と前記発光バーのソフトプレイトにある導電回線が電気接続して一つの電気通信伝送回路を形成し、該電気通信伝送回路が前記一対の支持基板の中の一本の支持基板にて、更に一つの電力差込予備端子を構築することを特徴とする請求項１記載の軽量型電子ディスプレイモジュラユニットの構造。
【請求項３】
前記一対の支持基板に複数個の偶数本の発光バーを貼り、該各発光バーのソフトプレイトの両端はそれぞれ前記一対の支持基板の表面に並列で並べて電気接続して貼合し、それは前記電気通信伝送回路の上から下に、更に上に戻る電気通信伝導経路に基づき、前記一対の支持基板の中の同じ支持基板の両サイドをそれぞれ該電気通信伝送回路の信号入力ポイント及び信号出力ポイントとし、且つ前記一本の支持基板に入力差込端子及び出力差込端子を設置することを特徴とする請求項１記載の軽量型電子ディスプレイモジュラユニットの構造。
【請求項４】
前記一対の支持基板に複数個の奇数本の発光バーを貼り、該各発光バーのソフトプレイトの両端はそれぞれ前記一対の支持基板の表面に並列して電気接続して貼合し、それは前記電気通信伝送回路の上から下に、更に上に戻ってから下へ、或いは下から上に、更に下に戻ってから上への電気通信伝導経路に基づき、前記一対の支持基板の各一辺を前記電気通信伝送回路の信号入力ポイント及び信号出力ポイントとし、且つそれぞれ入力差込端子及び出力差込端子を設置することを特徴とする請求項１記載の軽量型電子ディスプレイモジュラユニットの構造。
【考案の詳細な説明】
【技術分野】
【０００１】
本考案は、臨時会場にて頻繁に移動、分解、組立して使用するのに適し、特に組立使用する前は、体積が小さく、重さが軽いため、手軽に持ち運びできる軽量型発光ディスプレイモジュラユニットの構造に関する。
【背景技術】
【０００２】
各種のシーン或いは場所で大型ディスプレイ或いはディスプレイ幕を設置するのが、頻繁に目にする情報或いは広告の宣伝方法の一つである。従来の大型ディスプレイは、ＬＥＤロールテロップ或いはＬＥＤ電子看板、或いはＬＥＤ電子ディスプレイなど、ＬＥＤ発光ダイオード或いはＬＥＤ発光ダイオードのパーツのアレイ配置を使って、変化可能な図案或いは文字や映像を放映できる効果を達成する。当該大型ＬＥＤディスプレイの体積は大きく、重量も重いため、通常固定して架設する方法を取る。臨時のショー舞台或いは展示演奏会場などの臨時会場の場合は、多数のモジュラユニットを採用する形で、分解できる移動タイプのディスプレイを構築することはできるが、(例えば本考案の前考案である台湾実用新案第Ｍ４３０６８７号の「発光パーツに回路ディスプレイを駆動するモジュラユニットを含む構造」)、各モジュラユニットは必ず一つの架構に立てなければならないため、組み立てる前後の繁雑な移動過程において、全体の設備を運搬或いは運送する工程は重大な負担となる。専門の音響舞台業者のスタッフ配置或いは経費に余裕がなければ、通常メーカー側は設備を手軽に持ち運びできないため、製品の展示演出会場にて臨時の大型ディスプレイを使用することは殆どない。大型ディスプレイが臨時会場にて移動や使用するのに不利である状況を改善すべく、異なる場所でも簡単に吊るせる条件を考慮するほか、最も大事なキーポイントは、モジュラユニット本体の体積と重さの問題を解決してこそ、色んな場面で使用でき、臨時な場合でも便利に大型ディスプレイが使えるニーズを満たせるものを案出する必要があった。
その他の先行技術文献としては、例えば特許文献２及び３には発光バーを備えたディスプレイに関する技術が開示されている。
【先行技術文献】
【特許文献】
【０００３】
【特許文献１】台湾実用新案第Ｍ４３０６８７号明細書
【特許文献２】特許第５４６２７９０号公報
【特許文献３】特開２０１１−１００６４８号公報
【考案の概要】
【考案が解決しようとする課題】
【０００４】
前記公知構造の欠点を解決するため、本考案は軽量型電子ディスプレイモジュラユニットの構造を提供することを主な課題とする。
【課題を解決するための手段】
【０００５】
上述の目的を解決するために、本考案の第１の態様の軽量型電子ディスプレイモジュラユニットの構造は、少なくとも一つのモジュラユニットを含み、一つの前記モジュラユニットは一対の支持基板及び複数の発光バーを含む。前記一対の支持基板はいずれも長い板状のＰＣＢ回路ハード基板であり、表面にそれぞれ導電回線を設置し、及び基板に複数個の貫通穴を設ける。前記複数の発光バーは帯状に長く形成され縦向きに等間隔な形で並べられ、平行に横向きに置いた一対の支持基板に貼り付け、且つ前記複数の発光バーの各々は一本の長いソフトプレイトに多数個の発光パーツを設けて構成している。前記ソフトプレイトは、両端を前記一対の支持基板に貼合する可とう性のある薄いＦＰＣ回路ソフトプレイトであり、該プレイトは導電回線を具有し、且つ該導電回線と前記一対の支持基板の導電回線と電気接続し、一つの方向性を具有する電気通信伝送回路を形成する。該電気通信伝送回路の信号入力ポイントと出力ポイントを設け且つ前記一対の支持基板の表面に一つの入力差込端子及び一つの出力差込端子を設ける。前記多数個の発光パーツの全ては回路駆動チップのＬＥＤ発光ダイオードのパーツを含み、且つ少なくとも一列の型で直列の等間隔に前記ソフトプレイトの正面に設置する。前記電気通信伝送回路を通じて、いずれも前記入力差込端子側から電源と信号データを得て、全て前記出力差込端子側に電源と信号データを送る。
前記一対の支持基板の貫通穴に多数個のネジ接続パーツを使って、多数個のモジュラユニット間を相互に上下及び左右に並べて組み立てる際、各一対の支持基板が互いに離れる長さ及び重力により、各発光バーを平らに伸展させることができる。予定の幅と高さの規格サイズのディスプレイを形成した後、複数の導電ワイヤーの両端の差込ヘッドを通過し、それぞれ一つのモジュラユニットの出力差込端子に差込み、且つ隣接する別のモジュラユニットの入力差込端子に差し込んでワイヤー接続するだけである。各モジュラユニットが互いに組立して電気接続し、簡単に重量の軽い、ディスプレイが壁掛け或いは吊るせるほか、各モジュラユニットを一つのディスプレイに組み立てる前、或いは相互を取り外した後、各発光バーの特性により、前記一対の支持基板を巻き込む、或いは折りたたんで体積を小さくできる。よって臨時舞台、展示演奏会場などの場合では、発光ディスプレイを頻繁に移動して分解設置して使用することに対し、更に全てのモジュラユニットの体積を小さくすれば、移動する過程において車両の運送スペースを大幅に減らすことができ、有効的にディスプレイの移動力を高め、手軽に持ち運びできる効果を得る。
【０００６】
本考案の第２の態様の軽量型電子ディスプレイモジュラユニットの構造は、第１の態様の構造において、前記一対の支持基板にある導電回線と前記発光バーのソフトプレイトにある導電回線が電気接続して一つの電気通信伝送回路を形成する。前記電気通信伝送回路が前記一対の支持基板の中の一本の支持基板にて、更に一つの電力差込予備端子を構築する。
よって、異なる数のモジュラユニットが組立完成し、異なる力率の発光ディスプレイは、尚も一つ或いは数個の電力差込予備端子を選択して差し込んで電力を入力し、発光ディスプレイの正常な電気供給を適切に調節或いは維持する。
【０００７】
本考案の第３の態様の軽量型電子ディスプレイモジュラユニットの構造は、第１の態様の構造において、前記一対の支持基板に複数個の偶数本の発光バーを貼り、該各発光バーのソフトプレイトの両端はそれぞれ前記一対の支持基板の表面に並列で並べて電気接続して貼合する。それは前記電気通信伝送回路の上から下に、更に上に戻る電気通信伝導経路に基づき、前記一対の支持基板の中の同じ支持基板の両サイドをそれぞれ前記電気通信伝送回路の信号入力ポイント及び信号出力ポイントとする。且つ前記一本の支持基板に入力差込端子及び出力差込端子を設置する。
このように、前記電気通信伝送回路の方向を変更するだけで、それに対応して作った信号は右から入って左から出る、或いは左から入って右から出る二種類の電信伝送パターンモジュラユニットであり、よって多数のモジュラユニットを使って一つの発光ディスプレイの組立を完成する。モジュラユニットを選択した後に相互間に入力差込端子と出力差込端子を近づけて配置することができる。それにより導電ワイヤーの長さ或いはワイヤー接続距離を短くできる効果を得る。
【０００８】
本考案の第４の態様の軽量型電子ディスプレイモジュラユニットの構造は、第１の態様の構造において、前記一対の支持基板に複数個の奇数本の発光バーを貼り、該各発光バーのソフトプレイトの両端はそれぞれ前記一対の支持基板の表面に並列して電気接続して貼合する。それは前記電気通信伝送回路の上から下に、更に上に戻ってから下へ、或いは下から上に、更に下に戻ってから上への電気通信伝導経路に基づき、前記一対の支持基板の各一辺を前記電気通信伝送回路の信号入力ポイント及び信号出力ポイントとする。且つそれぞれ入力差込端子及び出力差込端子を設置する。
このように、生産計画を立てる際、入力差込端子と出力差込端子を前記一対の支持基板の上下位置で入れ替え、且つ前記電気通信伝送回路の方向転換を行うだけで、位置変化の入力差込端子及び出力差込端子を得ることができる。且つ作り出される信号は左上から入って右下から出る、右下から入って左上から出る、左上から入って右下から出る、或いは右下から入って左上から出るというモジュラユニットであり、モジュラユニットが選んだ相互間にある入力差込端子と出力差込端子は隣接して配置することができるため、導電ワイヤーの長さ或いはワイヤー接続距離を短くできる効果を得る。
【考案の効果】
【０００９】
本考案は一対の支持基板及び複数の発光バーと多数個の接続パーツを使って、多数個のモジュラユニットを並べて希望のサイズのディスプレイに組み立てることができるだけでなく、各発光バーの特性により、前記一対の支持基板を巻き込む、或いは折りたたんで体積を小さくできる。よって臨時舞台、展示演奏会場などの場合では、移動する過程において車両の運送スペースを大幅に減らすことができ、有効的にディスプレイの移動力を高め、手軽に持ち運びできる効果を得る。
【図面の簡単な説明】
【００１０】
【図１】本考案の正面構造の立体分解略図である。
【図２】本考案の背面構造の立体略図である。
【図３】本考案のディスプレイの構成の正面状態略図である。
【図４】本考案のディスプレイの構成の背面状態略図である。
【図５】本考案の偶数本の発光バーの際の導電ワイヤーを短くする実施例図である。
【図６】本考案の奇数本の発光バーの際の導電ワイヤーを短くする実施例図である。
【考案を実施するための形態】
【００１１】
以下、本考案の構造と特徴および効果を、最良実施例と図面を参照しながら詳細に説明する。
【実施例】
【００１２】
図１、図２に示すように、本考案に係る一実施例の軽量型電子ディスプレイモジュラユニットの構造について、該軽量型電子ディスプレイモジュラユニットの構造は少なくとも一つのモジュラユニットを含む。一つの前記モジュラユニット１０は一対の支持基板２０Ａ、２０Ｂ及び複数の発光バー３０を含む。前記一対の支持基板２０Ａ、２０Ｂはいずれも長い板状のＰＣＢ回路ハード基板であり、表面にそれぞれ導電回線(図に未表示)を設置し、及び基板に複数個の貫通穴２１を設ける。前記複数の発光バー３０は帯状に長く形成され縦向きに等間隔な形で並べられ、平行に横向きに置いた一対の支持基板２０Ａ、２０Ｂに貼り付け、且つ前記複数の発光バーの全ては一本の長いソフトプレイト３１に多数個の発光パーツ３２を設けて構成している。前記ソフトプレイト３１は、両端を前記一対の支持基板２０Ａ、２０Ｂに貼合する可とう性のある薄いＦＰＣ回路ソフトプレイトであり、該プレイトは導電回線(図に未掲載)を具有し、且つ該導電回線と前記一対の支持基板２０Ａ、２０Ｂの導電回線と電気接続し、一つの方向性を具有する電気通信伝送回路(図に未掲載)を形成する。前記電気通信伝送回路の信号入力ポイントと出力ポイントを設け且つ前記一対の支持基板２０Ａ、２０Ｂの表面に(図４参照)一つの入力差込端子２２及び一つの出力差込端子２３を設ける。前記多数個の発光パーツ３２は全て回路駆動チップの一色或いはカラーのＬＥＤ発光ダイオードのパーツを含み、且つ発光パーツ３２は少なくとも一列の型で直列の等間隔に並ぶように前記ソフトプレイト３１の正面に設置する。前記電気通信伝送回路を通じて、いずれも前記入力差込端子２２側から電源と信号データを得て、全て前記出力差込端子２３側に電源と信号データを送ることができる。
例えば図１、図２、図３及び図４に示すように、前記一対の支持基板２０Ａ、２０Ｂの貫通穴２１に多数個のネジ接続パーツ４０Ａ、４０Ｂを使って、多数個のモジュラユニット１０間を相互に上下及び左右に並べて組み立てる際、各一対の支持基板２０Ａ、２０Ｂが互いに離れる長さ及び重力により、各発光バー３０を平らに伸展させることができる。予定の幅と高さの規格サイズのディスプレイを形成した後、複数の導電ワイヤー５０の両端の差込ヘッド５１を通過し、差込部品５２に合わせてそれぞれ一つのモジュラユニット１０の出力差込端子２３に差込み、且つ隣接する別のモジュラユニット１０の入力差込端子２２に差し込んでワイヤー接続するだけである。各モジュラユニット１０が互いに組立して電気接続し、簡単に重量の軽い、ディスプレイが(貫通穴２１を通じて)壁掛け或いは吊るせるほか、各モジュラユニット１０を一つのディスプレイに組み立てる前、或いは相互を取り外した後、各発光バー３０(可とう性)の特性により、前記一対の支持基板２０Ａ、２０Ｂを巻き込む、或いは折りたたんで体積を小さくできる(図に未掲載)。よって臨時舞台、展示演奏会場などの場合では、発光ディスプレイを頻繁に移動して分解設置して使用することに対し、更に全てのモジュラユニット１０の体積を小さくすれば、移動する過程において車両の運送スペースを大幅に減らすことができ、有効的にディスプレイの移動力を高め、手軽に持ち運びできる効果を得る。
【００１３】
前記実施例に基づき、図２、図４に示すように、前記一対の支持基板２０Ａ、２０Ｂにある導電回線と前記発光バー３０のソフトプレイト３１にある導電回線が電気接続して一つの電気通信伝送回路を形成する。前記電気通信伝送回路が前記一対の支持基板２０Ａ、２０Ｂの中の一本の支持基板２０Ａにて、更に一つの電力差込予備端子２４を構築する。よって異なる数のモジュラユニット１０が組立完成し、異なる力率の発光ディスプレイは、尚も一つ或いは数個の電力差込予備端子２４を選択して差し込んで電力を入力し(図に未掲載)、発光ディスプレイの正常な電気供給を適切に調節或いは維持する。
【００１４】
前記実施例に基づき、図５のように、前記一対の支持基板２０Ａ、２０Ｂに複数個の偶数本の発光バー３０を貼り、該各発光バー３０のソフトプレイト３１の両端はそれぞれ前記一対の支持基板２０Ａ、２０Ｂの表面に並列で並べて電気接続して貼合する。それは前記電気通信伝送回路の上から下に、更に上に戻る電気通信伝導経路に基づき、前記一対の支持基板２０Ａ、２０Ｂの中の同じ支持基板２０Ａの両サイドをそれぞれ前記電気通信伝送回路の信号入力ポイント及び信号出力ポイントとする。且つ前記一本の支持基板２０に入力差込端子２２及び出力差込端子２３を設置する。このように、前記電気通信伝送回路の方向を変更するだけで、図５に示すように、それに対応して作った信号は右から入って左から出る、或いは左から入って右から出る二種類の電信伝送パターンモジュラユニット１０、１０Ａであり、よって多数のモジュラユニット１０、１０Ａを使って一つの発光ディスプレイの組立を完成する。モジュラユニット１０、１０Ａを選択した後に相互間に入力差込端子２２、２２Ａと出力差込端子２３、２３Ａを近づけて配置することができる。それにより導電ワイヤー５０の長さ或いはワイヤー接続距離を短くできる効果を得る。
【００１５】
前記実施例に基づき、図６に示すように、前記一対の支持基板２０Ａ、２０Ｂに複数個の奇数本の発光バー３０を貼り、該各発光バー３０のソフトプレイト３１の両端はそれぞれ前記一対の支持基板２０Ａ、２０Ｂの表面に並列して電気接続して貼合する。それは前記電気通信伝送回路の上から下に、更に上に戻ってから下へ、或いは下から上に、更に下に戻ってから上への電気通信伝導経路に基づき、前記一対の支持基板の各一辺を前記電気通信伝送回路の信号入力ポイント及び信号出力ポイントとする。且つそれぞれ入力差込端子２２及び出力差込端子２３Ｂを設置する。このように生産計画を立てる際、入力差込端子２２と出力差込端子２３Ｂを前記一対の支持基板２０Ａ、２０Ｂの上下位置で入れ替え、且つ前記電気通信伝送回路の方向転換を行うだけで、位置変化の入力差込端子２２、２２Ａ、２２Ｂ及び出力差込端子２３、２３Ａ、２３Ｂ、２３Ｃを得ることができる。且つ作り出される信号は左上から入って右下から出る、右下から入って左上から出る、左上から入って右下から出る、或いは右下から入って左上から出るというモジュラユニット１０Ａ、１０Ｂ、１０Ｃ、１０Ｄであり、モジュラユニット１０Ａ、１０Ｂ、１０Ｃ、１０Ｄが選んだ相互間にある入力差込端子２２、２２Ａ、２２Ｂ、２２Ｃと出力差込端子２３、２３Ａ、２３Ｂ、２３Ｃは隣接して配置することができるため、導電ワイヤーの長さ或いはワイヤー接続距離を短くできる効果を得る。
【００１６】
以上の実施例による本考案の詳細な説明は本考案の範囲を制限するものではない。本技術に熟知する者は、説明書にて限定する精神と範囲内で固定構造の変更などの適当な変更および調整を行うことができ、これらの変更および調整を行っても本考案の重要な意義は失われず、本考案の範囲に含まれる。
【符号の説明】
【００１７】
１０、１０Ａ、１０Ｂ、１０Ｃ、１０Ｄ  モジュラユニット
２０Ａ、２０Ｂ  支持基板
２１  貫通穴
２２、２２Ａ、２２Ｂ、２２Ｃ  入力差込端子
２３、２３Ａ、２３Ｂ、２３Ｃ  出力差込端子
２４  電力差込予備端子
３０  発光バー
３１  ソフトプレイト
３２  発光パーツ
４０Ａ、４０Ｂ  組立部品
５０  導電ワイヤー
５１  差込ヘッド
５２  差込部品
【図１】
0003194099.tif 000003
【図２】
0003194099.tif 000004
【図３】
0003194099.tif 000005
【図４】
0003194099.tif 000006
【図５】
0003194099.tif 000007
【図６】
0003194099.tif 000008